(57)【要約】【課題】接続不良を確実に防止できる電気掃除機を提供する。【解決手段】二次電池３５に電気的に接続した本体側端子を本体ケース２に設ける。充電台の台側端子に本体側端子を着脱する際に、モータ１５からの排気風を制御手段により台側端子に排気吹掛口２２から吹き掛けさせる。台側端子に付着した塵埃などを吹き飛ばし、本体側端子と台側端子との接続不良を防止できる。接触不良による二次電池３５の充電不良および充電台の充電回路の短絡などによる損傷を防止できる。【選択図】        図１
2004147753.tif 000002
【特許請求の範囲】
【請求項１】
電動送風機を備えた自立移動可能な掃除機本体と、
この掃除機本体に設けられ、前記電動送風機に電力を供給する充電可能な電池と、
前記掃除機本体に設けられ、前記電動送風機から排気される排気風を前記掃除機本体の外部へと排気させる排気口と、
前記掃除機本体に設けられ、前記電池に電気的に接続され、かつこの電池を充電する充電台の接続端子部に着脱可能に電気的に接続される充電端子部と、
この充電端子部を充電台の接続端子部に着脱する際に、前記電動送風機から排気される排気風を充電台の接続端子部に前記排気口から吹き掛けさせる制御手段と
を具備したことを特徴とした電気掃除機。
【請求項２】
制御手段は、掃除機本体を移動させて、電動送風機から排気される排気風を充電台の接続端子部に排気口から複数の位置で吹き掛けさせる
ことを特徴とした請求項１記載の電気掃除機。
【請求項３】
排気口は、少なくとも一部が開閉可能であり、
制御手段は、充電台の接続端子部に電動送風機から排気される排気風を吹き掛けさせる際にのみ前記排気口の一部を開口させる
ことを特徴とした請求項１または２記載の電気掃除機。
【発明の詳細な説明】
【０００１】
【発明の属する技術分野】
本発明は、電動送風機を備えた自立移動可能な電気掃除機に関する。
【０００２】
【従来の技術】
従来、この種の電気掃除機は、掃除機本体としての自立移動である自立走行、すなわち自走可能な本体ケースを備えている。この本体ケース内には、電動送風機、本体ケースの自走を制御するＩＣなどの制御手段および電動送風機などに電力を供給する充電可能な電池などが配設されている。さらに、本体ケースには、電池に電気的に接続された充電端子が設けられている。そして、電池の電荷量が低下した際、あるいは掃除が終了した際などに、制御手段により本体ケースを自走させ、充電端子部を充電台の接続端子部に接続させて充電する（例えば、特許文献１参照。）。
【０００３】
【特許文献１】
特開２００２−２０９８１８号公報（第４−５頁、図２）
【０００４】
【発明が解決しようとする課題】
しかしながら、上述の電気掃除機では、充電台の接続端子部に塵埃などが付着すると、接続端子部と充電端子部とを接続させる際にこれら接続端子部と充電端子部との接続不良が生じるおそれがあるという問題点を有している。
【０００５】
本発明はこのような点に鑑みなされたもので、接続不良を確実に防止できる電気掃除機を提供することを目的とする。
【０００６】
【課題を解決するための手段】
本発明の電気掃除機は、電動送風機に電力を供給する充電可能な電池と、電動送風機から排気される排気風を掃除機本体の外部へと排気させる排気口と、電池に電気的に接続され、電池を充電する充電台の接続端子部に着脱可能な充電端子部と、この充電端子部を充電台の接続端子部に着脱する際に、電動送風機から排気される排気風を充電台の接続端子部に排気口から吹き掛けさせる制御手段とを具備したものである。そして、電池に充電する充電台の接続端子部に充電端子部を着脱する際に、電動送風機から排気された排気風を制御手段にて充電台の接続端子部に排気口から吹き掛けさせることにより、充電台の接続端子部に付着した塵埃などを吹き飛ばし、充電端子部と接続端子部との接続不良を防止する。
【０００７】
【発明の実施の形態】
以下、本発明の電気掃除機の第１の実施の形態を図１ないし図９を参照して説明する。
【０００８】
図１ないし図９において、１は電気掃除機で、この電気掃除機１は、工場や住居内などの被掃除面としての床面Ｆ上を自立移動である自立走行、すなわち自走可能な掃除機本体としての本体ケース２を備え、充電台３に接続される。
【０００９】
ここで、本体ケース２は、図１に示すように、例えば略円形平板状の底板部４の外周縁に、上端が閉塞された略円筒状の上部ケース体５の下端縁を嵌合させて構成されている。
【００１０】
さらに、底板部４における本体ケース２の走行方向に対する両側域には、図２に示すように、この本体ケース２を床面Ｆ上で走行、すなわち移動させる移動手段としての一対の走行輪６が回転自在に取り付けられている。
【００１１】
これら走行輪６は、図２に示すように、底板部４における本体ケース２の走行方向に対する両側域に開口された細長略矩形状の嵌込口７に嵌め込まれて、図１に示すように、これら走行輪６における一部の外周縁が本体ケース２内からこの本体ケース２の下側へと突出している。
【００１２】
そして、これら走行輪６それぞれは、図４に示すように、磁気クラッチおよび電動機などで構成された車輪駆動制御手段８により駆動を制御される。
【００１３】
またさらに、本体ケース２の底板部４の前側には、図１に示すように、上方に向けて傾斜した傾斜面１１が形成されている。この傾斜面１１は、本体ケース２によるドアレールなどの段差を乗り越えやすくさせる。
【００１４】
また、本体ケース２内である底板部４の傾斜面１１の後方には、図１および図２に示すように、床面Ｆに対向して開口した細長矩形状の本体吸込口１２が設けられている。この本体吸込口１２は、走行輪６の間であるとともに、本体ケース２の走行方向に直角に交わる方向である本体ケース２の径方向に沿った長手方向を有している。
【００１５】
さらに、上部ケース体５の上部の前側寄りには、図１に示すように、略矩形状の集塵体収容部１３が凹状に設けられている。この集塵体収容部１３は、円筒状の連結部１４を介して本体吸込口１２の上部に連通接続されている。またさらに、集塵体収容部１３の後側の本体ケース２内には、図示しない連通孔を介して電動送風機としてのモータ１５が気密に取り付けられている。そして、集塵体収容部１３には、集塵体としての図示しない集塵カップが連結部１４の上端部に連通接続されて着脱可能に取り付けられる。
【００１６】
ここで、この集塵カップは、モータ１５の駆動により本体吸込口１２から吸い込んだ吸込風を旋回させて、この吸込風とともに吸い込んだ塵埃を自重による遠心分離にて吸込風から分離して、この塵埃を内部に集塵させる。
【００１７】
また、本体ケース２の上部ケース体５の後側面、すなわちモータ１５の排気側には、図１および図３に示すように、複数の排気口２１が設けられている。これら排気口２１は、本体ケース２の幅方向に沿った長手方向を有した長孔状に形成されており、本体ケース２の幅方向に対称に例えば２列、上下方向に例えば１２個ずつ、計２４個設けられている。さらに、これら排気口２１における一番下側に位置した一対、すなわち２つの排気口２１は、排気口の一部としての排気吹掛口２２となっている。これら排気吹掛口２２は、排気口２１よりも開口面積が小さく形成されている。
【００１８】
ここで、排気吹掛口２２を含む排気口２１は、それぞれ本体ケース２内におけるモータ１５の後方に形成されている。また、各排気口２１は、モータ１５の排気側と連通した排気風路２３と連通している。そして、排気吹掛口２２を除く排気口２１は、開口方向が上部ケース体５の後方に水平に設けられており、モータ１５から排気される排気風を本体ケース２の外部である後方へと略水平に排気させる。
【００１９】
またさらに、排気吹掛口２２は、本体ケース２内で排気風路２３から後側下方に向かって分岐された分岐風路２４に連通しており、モータ１５から排気される排気風を本体ケース２の外部である後側の下方に向けて排気させる。この分岐風路２４は、排気風路２３よりも幅狭に形成されている。
【００２０】
一方、本体ケース２の上部ケース体５の周囲には、本体ケース２の周囲の状態を検知する検知手段としての複数のセンサ３１が取り付けられている。これらセンサ３１は、上部ケース体５の一側部から前部を通ってこの上部ケース体５の他側部に亘って並んで取り付けられており、上部ケース体５の周方向に互いに離間されてそれぞれ上部ケース体５の法線方向に向けて取り付けられている。
【００２１】
また、上部ケース体５の前部の上側には、電気掃除機１の進行方向の障害物などの高さなどを検知する高さ検知手段としての高さセンサ３２が前方に向けて取り付けられている。
【００２２】
さらに、上部ケース体５の前部における傾斜面１１の上方には、電気掃除機１の前方の段差などの高さを検知する段差検知手段としての段差センサ３３が前方に向けて取り付けられている。
【００２３】
そして、上部ケース体５の後側寄りの一側部の下側には、充電台３を検知する充電台検知手段としての充電台センサ３４が本体ケース２の側方に向けて取り付けられている。
【００２４】
ここで、上記センサ３１、高さセンサ３２、段差センサ３３および充電台センサ３４などの各種センサは、例えば赤外線を発光させて所定距離に存在する障害物を検知する赤外線センサ、あるいは撮影される画像にて障害物を検知する画像センサなどの非接触型のセンサである。
【００２５】
また、図１および図２に示すように、本体ケース２内の走行輪６の間である本体吸込口１２の後方には、モータ１５に電力を供給する電池としての電池パックである略直方体状の二次電池３５が着脱可能、すなわち取り外し可能に取り付けられている。
【００２６】
さらに、図１および図３に示すように、上部ケース体５の後部における排気吹掛口２２の下方には、略矩形凹状の端子嵌合部４１が上部ケース体５および底板部４に亘って切り欠き形成されている。この端子嵌合部４１は、例えば本体ケース２の幅方向の中心線上に設けられている。また、この端子嵌合部４１は、上部ケース体５の後方に向かって若干拡開状に設けられている。またさらに、この端子嵌合部４１の下部には、略円柱状の従動輪４２が端子嵌合部４１を横断して回転可能に取り付けられている。この従動輪４２は、下端部が底板部４の下方に若干突出しており、走行輪６の走行により従動回転する。
【００２７】
そして、端子嵌合部４１の上面部には、略矩形平板状の位置合わせ突部４３が下方に向けて突出して本体ケース２の前後方向に沿って形成されている。この位置合わせ突部４３は、端子嵌合部４１の前側面からこの端子嵌合部４１の後部開口近傍に亘って設けられている。また、この位置合わせ突部４３の後部下側は、円弧状に面取り形成されている。
【００２８】
さらに、端子嵌合部４１の上面部における位置合わせ突部４３の両側方には、充電端子部としての金属製の一対の本体側端子４４が下方に向けて垂直に突出して設けられている。これら本体側端子４４は、二次電池３５に電気的にそれぞれ接続されており、床面Ｆに設置された充電台３に接続される。
【００２９】
またさらに、本体ケース２内には、図４に示すように、記憶手段としてのメモリＩＣ、計時手段としてのタイマ、走行輪６の回転数を計測する計測手段としてのカウンタ、および電気掃除機１の回転角度を計測する角度センサとしてのジャイロなどを有する制御回路を備えた回路基板などからなる制御手段４５が取り付けられている。この制御手段４５は、二次電池３５と接続されており、この二次電池３５から電力を供給されている。
【００３０】
さらに、制御手段４５は、車輪駆動制御手段８、走行輪６、センサ３１、高さセンサ３２、段差センサ３３および充電台センサ３４などの各種センサおよびモータ１５にそれぞれ接続されている。そして、制御手段４５は、各種センサのいずれかによる障害物の検知に基づいて、車輪駆動制御手段８により走行輪６の回転駆動を制御して障害物を回避させつつ本体ケース２を自走させるとともに、モータ１５の駆動状態を制御する。
【００３１】
一方、充電台３は、図５に示すように、略矩形状の本体部５１を備えており、この本体部５１の幅方向の一端部には、図示しない充電回路などを収容した略矩形状の回路部５２が設けられている。この回路部５２は、コンセント５３を介して商用電源に接続されている。さらに、本体部５１の幅方向の他端部の下側には、電気掃除機１の本体ケース２の形状に沿って凹弧状に形成された嵌合部５４が設けられており、この嵌合部５４の略中心域には、電気掃除機１の端子嵌合部４１に嵌合、すなわちドッキングされる端子接続部５５が突出して一体に形成されている。
【００３２】
この端子接続部５５は、略矩形状に形成されており、この端子接続部５５の上部の中心域には、電気掃除機１の位置合わせ突部４３が嵌合される略矩形凹状の嵌合溝部６１が形成されている。この嵌合溝部６１は、端子接続部５５の突出基端側の上部から、端子接続部５５の先端側である前側の側面に亘って切り欠き形成されている。
したがって、嵌合溝部６１には、端子接続部５５の前側から位置合わせ突部４３が嵌合可能となっている。
【００３３】
またさらに、端子接続部５５の上部における嵌合溝部６１の両側方には、長穴状の一対の端子穴６２が嵌合溝部６１に沿ってそれぞれ設けられており、これら端子穴６２の内部には、接続端子部としての金属製の台側端子６３がそれぞれ取り付けられている。これら台側端子６３は、図示しないリード線などを介して本体部５１内で回路部５２の充電回路に電気的に接続されている。
【００３４】
そして、これら台側端子６３は、位置合わせ突部４３が嵌合溝部６１に嵌合された際に、本体側端子４４に接続される位置に設けられており、電気掃除機１の端子嵌合部４１に充電台３の端子接続部５５が嵌合されることにより、本体側端子４４と台側端子６３とが電気的に接続される。
【００３５】
また、回路部５２と反対側の嵌合部５４の端部には、略矩形状の被検知穴６４が設けられている。この被検知穴６４は、床面Ｆからの高さ位置が電気掃除機１の充電台センサ３４と略等しく、電気掃除機１は充電台センサ３４にてこの被検知穴６４を検知することで充電台３の位置を検知する。
【００３６】
次に、上記第１の実施の形態の掃除動作を図６に示すフローチャート、図７ないし図９を参照して説明する。
【００３７】
まず、制御手段４５に予め入力されたプログラムなどにより、所定の掃除時間になると、制御手段４５が車輪駆動制御手段８により走行輪６を駆動させ、図７に示すように、電気掃除機１の端子嵌合部４１と充電台３の端子接続部５５との接続を外して９０°回転し、部屋の外周に沿って走行する（ステップ１）。
【００３８】
このとき、制御手段４５は、電気掃除機１の走行軌道により仮想的な壁を作成し、電気掃除機１が外周を一周したかどうかをこの仮想的な壁が閉じたかどうかで判断する（ステップ２）。
【００３９】
このステップ２において、電気掃除機１が外周を一周していないと制御手段４５により判断した場合には、ステップ１に戻って走行を継続する。
【００４０】
一方、ステップ２において、電気掃除機１が外周を一周したと制御手段４５により判断した場合には、制御手段４５は閉じた壁により部屋の形状を記憶するとともに、モータ１５を駆動させて、例えば図８に示すように、各種センサにより電気掃除機１の周囲の状態を検知しながらジグザグ状に床面Ｆを掃除させる（ステップ３）。
【００４１】
この後、制御手段４５は、記憶した部屋の形状と電気掃除機１の掃除経路とを照合して、床面Ｆ全体を掃除したかどうか判断する（ステップ４）。
【００４２】
このステップ４において、電気掃除機１が床面Ｆ全体を掃除していないと制御手段４５により判断した場合には、ステップ３に戻り、床面Ｆの掃除を継続する。
【００４３】
一方、ステップ４において、電気掃除機１が床面Ｆ全体を掃除したと制御手段４５により判断した場合には、モータ１５を停止させる（ステップ５）。
【００４４】
さらに、制御手段４５は、車輪駆動制御手段８により走行輪６を駆動させ、制御手段４５にて記憶した充電台３の位置に電気掃除機１を移動させる（ステップ６）。
【００４５】
このとき、制御手段４５は、充電台３の被検知穴６４を充電台センサ３４で検知したかどうかを判断する（ステップ７）。
【００４６】
このステップ７において、被検知穴６４を充電台センサ３４で検知していない場合には、電気掃除機１が充電台３の近傍に戻っていないと制御手段４５にて判断し、ステップ６に戻って電気掃除機１の移動を継続する。
【００４７】
一方、ステップ７において、被検知穴６４を充電台センサ３４で検知した場合には、電気掃除機１が充電台３の近傍に戻ったと制御手段４５により判断し、図９に示すように、この制御手段４５が車輪駆動制御手段８により走行輪６を所定量回転させて電気掃除機１を所定距離移動させるとともに、電気掃除機１を９０°回転させて端子嵌合部４１と充電台３の端子接続部５５とを位置合わせする。（ステップ８）。
【００４８】
さらに、制御手段４５は、モータ１５を所定の時間駆動させて、モータ１５から排気される排気風を、分岐風路２４を介して排気吹掛口２２から排気させ、充電台３の端子接続部５５に吹き掛けさせてこの端子接続部５５の台側端子６３の上などに付着した塵埃などを吹き飛ばす（ステップ９）。
【００４９】
そして、制御手段４５によりモータ１５を停止させると、電気掃除機１を充電台３側へと後退させ、端子嵌合部４１と充電台３の端子接続部５５とをドッキングさせる（ステップ１０）。このとき、後方に向かって拡開状に形成した端子嵌合部４１が容易に端子接続部５５に嵌合するとともに、後部下側を円弧状に面取り形成した位置合わせ突部４３が容易に嵌合溝部６１に嵌合し、本体側端子４４と台側端子６３とが確実に接続されて、二次電池３５が充電される。
【００５０】
上述したように、上記第１の実施の形態によれば、充電台３の台側端子６３に電気掃除機１の本体側端子４４を接続する際に、電気掃除機１から排気された排気風を制御手段４５にて台側端子６３に排気吹掛口２２から吹き掛けさせることにより、充電台３の台側端子６３に付着した塵埃などを吹き飛ばし、本体側端子４４と台側端子６３とを接続する際の接続不良を防止でき、この接触不良による二次電池３５の充電不良、あるいは充電台３の充電回路が短絡などにより損傷することなどを防止できる。
【００５１】
また、端子接続部５５の嵌合溝部６１に嵌合可能な位置合わせ突部４３を端子嵌合部４１に突出して設けたことにより、端子嵌合部４１と端子接続部５５とのドッキングの際に確実に位置合わせできる。しかも、端子嵌合部４１を電気掃除機１の本体ケース２の後方に向けて拡開状にし、かつ位置合わせ突部４３の後部下側を円弧状に面取り形成したことにより、端子嵌合部４１と端子接続部５５とを容易にドッキングできる。
【００５２】
さらに、掃除中に電気掃除機１の排気吹掛口２２から排気されるモータ１５からの排気風により床面Ｆ上の塵埃の一部が巻き上げられて端子接続部５５の台側端子６３に付着することがあっても、掃除を終了した後に端子接続部５５の台側端子６３の塵埃を吹き飛ばすので、台側端子６３に付着した塵埃などを効率よく吹き飛ばしできる。
【００５３】
またさらに、排気吹掛口２２の直下部に端子嵌合部４１を設けたことにより、排気吹掛口２２から本体ケース２の外部へと排気されるモータ１５からの排気風を端子接続部５５に効率よく吹き掛けることができる。
【００５４】
そして、排気吹掛口２２の開口面積を比較的小さく形成し、かつ分岐風路２４を排気風路２３よりも幅狭に形成したことにより、モータ１５から排気された排気風を排気吹掛口２２から比較的強く排気させることが可能になり、台側端子６３に付着した塵埃などを、より効率よく吹き飛ばしできる。
【００５５】
次に、本発明の電気掃除機の第２の実施の形態を図１０を参照して説明する。
【００５６】
この図１０に示す実施の形態は、基本的には、上記図１ないし図９に示す実施の形態と同様であるが、制御手段４５は、モータ１５から排気された排気風を排気吹掛口２２から端子接続部５５の台側端子６３に複数の位置、例えば２箇所で吹き掛けさせるものである。
【００５７】
すなわち、この図１０に示す実施の形態では、まず、上記図１ないし図９に示す実施の形態のステップ１ないしステップ９と同様のステップ１１ないし１９の制御をした後、制御手段４５がモータ１５を一旦停止させ、車輪駆動制御手段８により走行輪６を回転駆動させて、例えば電気掃除機の端子嵌合部４１と充電台３の端子接続部５５とを位置合わせした状態で電気掃除機１を充電台３に、より接近させる（ステップ２０）。
【００５８】
そして、再びモータ１５を制御手段４５により駆動させ、モータ１５から排気された排気風を排気吹掛口２２から端子接続部５５の台側端子６３に吹き掛けて、塵埃などを吹き飛ばす（ステップ２１）。
【００５９】
この後、制御手段４５は、図１ないし図９に示す実施の形態のステップ１０と同様に、モータ１５の駆動を停止させるとともに、車輪駆動制御手段８により走行輪６を駆動させて電気掃除機１を後退させ、端子嵌合部４１と端子接続部５５とをドッキングする（ステップ２２）。
【００６０】
このため、図１０に示す実施の形態によれば、制御手段４５が、電気掃除機１の本体ケース２の後部に設けた排気吹掛口２２から、モータ１５から排気された排気風を端子接続部５５の台側端子６３に吹き掛けさせるなど、上記第１の実施の形態と同様の制御をすることにより、上記第１の実施の形態と同様の作用効果を奏することができる。
【００６１】
また、モータ１５から排気される排気風を２箇所から端子接続部５５の台側端子６３に吹き掛けるため、モータ１５から排気される排気風が異なる角度から台側端子６３に吹き掛けられ、この台側端子６３に付着した塵埃などをより確実に吹き飛ばしできる。
【００６２】
なお、上記第２の実施の形態において、モータ１５から排気された排気風を端子接続部５５の台側端子６３に異なる位置から吹き掛けできれば、制御手段４５による電気掃除機１の移動方向および距離などは、上記の制御に限定されない。すなわち、電気掃除機１を充電台３から若干遠ざけたり、あるいは電気掃除機１を若干回転させたりしてもよい。
【００６３】
また、上記ステップ２０の制御において、台側端子６３に付着した塵埃などをより確実に吹き飛ばす場合には、モータ１５を一旦停止させずに、電気掃除機１を移動させながらモータ１５から排気される排気風を端子接続部５５の台側端子６３に連続的に吹き掛けさせる制御にしてもよい。
【００６４】
次に、本発明の電気掃除機の第３の実施の形態を図１１ないし図１３を参照して説明する。
【００６５】
この図１１ないし図１３に示す実施の形態は、上記図１ないし図９に示す実施の形態と基本的に同様の構成を有しているが、図１１に示すように、分岐風路２４には、この分岐風路２４を開閉させる開閉弁７１が開閉可能に取り付けられている。
【００６６】
また、本体ケース２内における分岐風路２４の下方には、開閉弁７１を開閉させる開閉装置７２が取り付けられている。この開閉装置７２は、図１２に示すように、制御手段４５に接続されており、この制御手段４５により駆動される。そして、制御手段４５は、モータ１５から排気される排気風を、端子接続部５５の台側端子６３に吹き掛けさせる際にのみ、開閉装置７２を介して開閉弁７１を開閉させることで排気吹掛口２２を開閉させる。
【００６７】
すなわち、制御手段４５は、開閉弁７１を閉じた状態で上記図１ないし図９に示す実施の形態のステップ１ないしステップ８と同様のステップ３１ないし３８の制御をした後、モータ１５を所定時間駆動させるとともに開閉装置７２により開閉弁７１を開かせる（ステップ３９）。
【００６８】
この後、制御手段４５は、モータ１５から排気される排気風を、分岐風路２４を介して排気吹掛口２２から端子接続部５５の台側端子６３に吹き掛けて、塵埃などを吹き飛ばす（ステップ４０）。
【００６９】
さらに、制御手段４５は、モータ１５を停止させ、開閉装置７２により開閉弁７１を閉じさせる（ステップ４１）。
【００７０】
そして、車輪駆動制御手段８により走行輪６を駆動して電気掃除機１を充電台３側へと後退させ、端子嵌合部４１と充電台３の端子接続部５５とをドッキングさせる（ステップ４２）。
【００７１】
このため、上記第３の実施の形態によれば、制御手段４５が、電気掃除機１の本体ケース２の後部に設けた排気吹掛口２２から、モータ１５から排気された排気風を端子接続部５５の台側端子６３に吹き掛けさせるなど、上記第１の実施の形態と同様の制御をすることにより、上記第１の実施の形態と同様の作用効果を奏することができる。
【００７２】
また、充電台３の端子接続部５５の台側端子６３にモータ１５から排気された排気風を吹き掛ける際にのみ、制御手段４５が開閉装置７２により開閉弁７１を開いて排気吹掛口２２を開口させるため、モータ１５から排気される排気風が通常の掃除中に排気吹掛口２２から排気されることを防止し、この排気吹掛口２２からの排気により床面Ｆ上の塵埃の一部が巻き上げられることを防止できる。
【００７３】
なお、上記第３の実施の形態において、制御手段４５は、モータ１５から排気された排気風を排気吹掛口２２から台側端子６３に、複数回吹き掛けさせる制御、あるいは電気掃除機１を移動させながら連続的に吹き掛けさせる制御などにしてもよい。
【００７４】
また、排気吹掛口２２を除く排気口２１にも排気開閉弁を設け、開閉弁７１を開いた際にはこの排気開閉弁を閉じて、モータ１５から排気された排気風を排気吹掛口２２のみから排気させるように制御手段４５により制御してもよい。この場合には、モータ１５から排気された排気風を排気吹掛口２２から吹き掛ける際に、この排気吹掛口２２を除く排気口２１から排気風が排気されないため、この排気風により床面Ｆの塵埃を巻き上げることを防止できるとともに、モータ１５から排気された排気風をより集中させて排気吹掛口２２から排気させることができ、塵埃をより確実に吹き飛ばしできる。
【００７５】
さらに、上記各実施の形態において、電気掃除機１の細部は上記構成に限定されない。
【００７６】
またさらに、端子嵌合部４１と端子接続部５５とのドッキングを離す際に、モータ１５から排気された排気風を排気吹掛口２２から吹き掛けさせる制御にもできる。
【００７７】
そして、電気掃除機１の掃除動作は、部屋内をジグザグ状に掃除するだけでなく、様々な掃除動作が可能である。
【００７８】
【発明の効果】
本発明によれば、電池に充電する充電台の接続端子部に充電端子部を着脱する際に、電動送風機から排気された排気風を制御手段にて充電台の接続端子部に排気口から吹き掛けさせることにより、充電台の接続端子部に付着した塵埃などを吹き飛ばし、充電端子部と接続端子部との接続不良を防止できる。
【図面の簡単な説明】
【図１】本発明の電気掃除機の第１の実施の形態を示す側面断面図である。
【図２】同上電気掃除機を示す底面図である。
【図３】同上電気掃除機の一部を示す斜視図である。
【図４】同上電気掃除機を示すブロック図である。
【図５】同上電気掃除機の充電台を示す斜視図である。
【図６】同上電気掃除機の制御を示すフローチャートである。
【図７】同上電気掃除機の動作の一部を示す説明図である。
【図８】同上電気掃除機の掃除動作を示す説明図である。
【図９】同上電気掃除機の動作の一部を示す説明図である。
【図１０】本発明の電気掃除機の第２の実施の形態の制御を示すフローチャートである。
【図１１】本発明の電気掃除機の第３の実施の形態を示す側面断面図である。
【図１２】同上電気掃除機を示すブロック図である。
【図１３】同上電気掃除機の制御を示すフローチャートである。
【符号の説明】
１    電気掃除機
２    掃除機本体としての本体ケース
１５    電動送風機としてのモータ
２１    排気口
３５    電池としての二次電池
４４    充電端子部としての本体側端子
４５    制御手段
【図１】
2004147753.tif 000003
【図２】
2004147753.tif 000004
【図３】
2004147753.tif 000005
【図４】
2004147753.tif 000006
【図５】
2004147753.tif 000007
【図６】
2004147753.tif 000008
【図７】
2004147753.tif 000009
【図８】
2004147753.tif 000010
【図９】
2004147753.tif 000011
【図１０】
2004147753.tif 000012
【図１１】
2004147753.tif 000013
【図１２】
2004147753.tif 000014
【図１３】
2004147753.tif 000015